(57)【要約】【課題】絞り機構の駆動制御を改善したレンズ鏡筒およびカメラシステムを提供する。【解決手段】  カメラボディに着脱可能なレンズ鏡筒であって、光が通過する開口の面積を調整可能な絞り機構と、前記絞り機構を駆動制御する制御手段と、前記絞り機構を制御するための制御情報を設定する設定手段と、前記設定手段によって設定された前記制御情報を前記カメラボディに送信する通信手段とを有する。【選択図】図５
2009175620.tif 000002
【特許請求の範囲】
【請求項１】
カメラボディに着脱可能なレンズ鏡筒であって、
光が通過する開口の面積を調整可能な絞り機構と、
前記絞り機構を駆動制御する制御手段と、
前記絞り機構を駆動制御するための制御情報を設定する設定手段と、
前記設定手段によって設定された前記制御情報を前記カメラボディに送信する送信手段とを有することを特徴とするレンズ鏡筒。
【請求項２】
請求項１に記載されたレンズ鏡筒であって、
前記設定手段は、当該設定手段による設定が無効であることを示す第１の情報を設定可能であり、前記送信手段は、前記第１の情報を前記カメラボディに送信すること
を特徴とするレンズ鏡筒。
【請求項３】
請求項１に記載されたレンズ鏡筒であって、
前記設定手段は、前記制御情報を、当該設定手段による設定が無効であることを示す第１の情報に設定可能であることを特徴とするレンズ鏡筒。
【請求項４】
請求項１から３のいずれかに記載されたレンズ鏡筒であって、
前記制御手段は、前記第１の情報が設定されている場合は、
前記カメラボディから出力される信号に従って前記絞り機構を制御することを特徴とするレンズ鏡筒。
【請求項５】
請求項１から４のいずれかに記載されたレンズ鏡筒であって、
前記設定手段は、前記第１の情報と、当該設定手段による設定が有効であることを示す第２の情報とを切り換えて設定可能であることを特徴とするレンズ鏡筒。
【請求項６】
カメラボディに着脱可能なレンズ鏡筒であって、
光が通過する開口の面積を調整可能な絞り機構と、
前記絞り機構を駆動制御する制御手段と、
前記カメラボディ側から出力される、前記絞り機構を駆動制御するための制御情報を有効にすることを示す第１の情報を、前記カメラボディに送信する送信手段とを有することを特徴とするレンズ鏡筒。
【請求項７】
カメラボディに着脱可能なレンズ鏡筒であって、
光が透過する開口の面積を調整可能な絞り機構と、
前記カメラボディからの制御情報に基づき前記絞り機構を駆動制御する制御手段と、
前記制御手段で用いる制御情報を設定しないことを示す情報を前記カメラボディに送信する送信手段とを有すること
を特徴とするレンズ鏡筒。
【請求項８】
請求項６または７に記載されたレンズ鏡筒であって、
前記制御手段は、前記カメラボディから出力される信号に従って前記絞り機構を制御することを特徴とするレンズ鏡筒。
【請求項９】
請求項１から８のいずれかに記載のレンズ鏡筒であって、
前記制御情報は、前記絞り機構で調整する前記開口の面積の設定に関する情報であることを特徴とするレンズ鏡筒。
【請求項１０】
光が通過する開口の面積を調整可能な絞り機構と、
制御情報に基づいて前記絞り機構を駆動制御する制御手段と、
前記制御情報を設定するレンズ側設定手段と、
前記設定手段によって設定された前記制御情報を送信するレンズ側送信手段とを有するレンズ鏡筒と、
前記レンズ側送信手段からの前記制御情報を受信する受信手段と、
前記制御情報を設定するカメラボディ側設定手段と、
前記制御情報を前記レンズ側制御手段に送信するカメラボディ側送信手段と、
前記レンズ側設定手段と前記カメラボディ側設定手段の少なくとも一方によって設定された前記制御情報を前記制御手段に送るボディ側制御手段とを有し、前記レンズ鏡筒を着脱可能なカメラボディと、を有することを特徴とするカメラシステム。
【請求項１１】
光が通過する開口の面積を調整可能な絞り機構と、
制御情報に基づいて前記絞り機構を駆動制御する制御手段と
を有するレンズ鏡筒と、
前記制御情報を設定する設定手段を有し、前記レンズ鏡筒と着脱可能なカメラボディとを有し、
前記レンズ鏡筒は、前記設定手段で設定される前記制御情報を有効にすることを示す情報を前記カメラボディに送信するレンズ側送信手段を有し、
前記カメラボディは、前記レンズ側送信手段からの前記情報を受信した場合に、前記制御情報を前記制御手段に送信するボディ側送信手段を有すること
を特徴とするカメラシステム。
【発明の詳細な説明】
【技術分野】
【０００１】
本発明は、レンズ鏡筒およびカメラシステムに関し、より詳細には、絞り機構を有するレンズ鏡筒および当該レンズ鏡筒を有するカメラシステムに関する。
【背景技術】
【０００２】
カメラボディに取り付けられるレンズ鏡筒には、撮影光学系の開口面積を調整する絞り機構が備えられているものが多く存在する。また、これらのレンズ鏡筒の中には、絞り機構によって調整される開口値を設定するための絞り環を有するものと、当該絞り環を有しないものとが存在する。
【０００３】
ここで、絞り環を有しないレンズ鏡筒だけでなく、絞り環を有するレンズ鏡筒についても、カメラボディ側からレンズ鏡筒内の絞り機構を駆動制御する場合がある。
【０００４】
従来技術に係るレンズ鏡筒では、例えば絞り環と連動する突起をカメラボディ側に設けられた絞り連動環に係合させるなどして、絞り環によって設定された開口値を、機械的な連動によってカメラボディ側に伝えていた（特許文献１参照）。
【０００５】
しかし、従来技術に係るレンズ鏡筒は、絞り環の配置が制約されたり、カメラボディへの取付部付近の構造が複雑になるという問題を有している。
【特許文献１】特開平１０−１７０９７８号公報
【発明の開示】
【発明が解決しようとする課題】
【０００６】
本発明は、このような実情に鑑みてなされ、その目的は、絞り機構の駆動制御を改善したレンズ鏡筒およびカメラシステムを提供することである。
【課題を解決するための手段】
【０００７】
上記課題を解決するために、本発明に係るレンズ鏡筒は、
カメラボディ（１０）に着脱可能なレンズ鏡筒（１２）であって、
光が通過する開口の面積を調整可能な絞り機構（１６）と、
前記絞り機構を駆動制御する制御手段（２４）と、
前記絞り機構を駆動制御するための制御情報を設定する設定手段（２０，２８）と、
前記設定手段によって設定された前記制御情報を前記カメラボディに送信する送信手段（２４，２６）とを有する。
【０００８】
また、例えば、前記設定手段は、当該設定手段による設定が無効であることを示す第１の情報を設定可能であり、前記送信手段は、前記第１の情報を前記カメラボディに送信してもよい。
【０００９】
また、例えば、前記設定手段は、前記制御情報を、当該設定手段による設定が無効であることを示す第１の情報に設定可能であってもよい。
【００１０】
また、例えば、前記制御手段は、前記第１の情報が設定されている場合は、
前記カメラボディから出力される信号に従って前記絞り機構を制御してもよい。
【００１１】
また、例えば、前記設定手段は、前記第１の情報と、当該設定手段による設定が有効であることを示す第２の情報とを切り換えて設定可能であってもよい。
【００１２】
また、本発明の第２の観点に係るレンズ鏡筒は、
カメラボディ（１０）に着脱可能なレンズ鏡筒（１２）であって、
光が通過する開口の面積を調整可能な絞り機構（１６）と、
前記絞り機構を駆動制御する制御手段（２４）と、
前記カメラボディ側から出力される、前記絞り機構を駆動制御するための制御情報を有効にすることを示す第１の情報を、前記カメラボディに送信する送信手段（２４，２６）とを有することを特徴とする。
【００１３】
また、本発明の第３の観点に係るレンズ鏡筒は、
カメラボディ（１０）に着脱可能なレンズ鏡筒（１２）であって、
光が透過する開口の面積を調整可能な絞り機構（１６）と、
前記カメラボディからの制御情報に基づき前記絞り機構を駆動制御する制御手段（２４）と、
前記制御手段で用いる制御情報を設定しないことを示す情報を前記カメラボディに送信する送信手段（２４，２６）とを有することを特徴とする。
【００１４】
また、例えば、前記制御手段は、前記カメラボディから出力される信号に従って前記絞り機構を制御してもよい。
【００１５】
また、例えば、前記制御情報は、前記絞り機構で調整する前記開口の面積の設定に関する情報であってもよい。
【００１６】
また、本発明に係るカメラシステムは、
光が通過する開口の面積を調整可能な絞り機構（１６）と、
制御情報に基づいて前記絞り機構を駆動制御する制御手段（２４）と、
前記制御情報を設定するレンズ側設定手段（２０，２８）と、
前記設定手段によって設定された前記制御情報を送信するレンズ側送信手段（２４，２６）とを有するレンズ鏡筒（１２）と、
前記レンズ側送信手段からの前記制御情報を受信する受信手段（３０，３２）と、
前記制御情報を設定するカメラボディ側設定手段（１９）と、
前記制御情報を前記レンズ側制御手段に送信するカメラボディ側送信手段（３０，３２）と、
前記レンズ側設定手段と前記カメラボディ側設定手段の少なくとも一方によって設定された前記制御情報を前記制御手段に送るボディ側制御手段（３０）とを有し、前記レンズ鏡筒を着脱可能なカメラボディ（１０）と、を有する。
【００１７】
また、本発明の第２の観点に係るカメラシステムは、
光が通過する開口の面積を調整可能な絞り機構（１６）と、
制御情報に基づいて前記絞り機構を駆動制御する制御手段（２４）と
を有するレンズ鏡筒（１２）と、
前記制御情報を設定する設定手段（１９）を有し、前記レンズ鏡筒と着脱可能なカメラボディ（１０）とを有し、
前記レンズ鏡筒は、前記設定手段で設定される前記制御情報を有効にすることを示す情報を前記カメラボディに送信するレンズ側送信手段（２４，２６）を有し、
前記カメラボディは、前記レンズ側送信手段からの前記情報を受信した場合に、前記制御情報を前記制御手段に送信するボディ側送信手段（３０，３２）を有することを特徴とする。
【００１８】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１９】
以下、本発明を、図面に示す実施形態に基づき説明する。
図１は、本発明の一実施形態に係るレンズ鏡筒を取り付けたカメラボディの外観図、
図２は、図１に示すカメラにおける絞り機構の制御を表すブロック図、
図３は、図１のレンズ鏡筒に備えられた絞り環エンコーダの詳細図、
図４は、絞り環エンコーダのパターンと制御情報の関係を示す図、
図５は、図２に示す絞り機構の絞り値の設定に関連して、レンズ鏡筒内に備えられたＭＣＵで行われる一連の処理を表したフローチャート、
図６は、図２に示す絞り機構の絞り値の設定に関連して、カメラボディ内に備えられたボディＣＰＵで行われる一連の処理を表したフローチャートである。
第１実施形態
【００２０】
図１は、本発明の一実施形態に係るレンズ鏡筒１２を取り付けたカメラボディ１０の外観図である。レンズ鏡筒１２は、不図示のマウント部によってカメラボディ１０に取り付けられており、レンズ鏡筒１２に備えられた撮影光学系（不図示）によって、被写体光をカメラボディ１０内部に導くことができる。
【００２１】
カメラボディ１０の内部には、撮影光学系によって導かれた被写体光による像を記録するための記録媒体（不図示）等が備えられている。記録媒体としては、銀塩フィルムや、ＣＣＤやＣＭＯＳ等の撮像素子が用いられる。また、本実施形態に係るカメラボディ１０の筐体表面には、撮影のタイミング等を決定するためのレリーズボタン１８や、カメラボディ１０側で絞り値を設定するためのサブコマンドダイアル１９が備えられている。
【００２２】
レンズ鏡筒１２には、被写体光が通過する開口の面積を調整するための絞り機構１６が備えられている。本実施形態における絞り機構１６は、複数の絞り羽根と、これを駆動するための駆動部（不図示）を有する電磁絞り機構である。絞り羽根を駆動するための駆動部としては、例えばステッピングモータ等を用いることができるが、電力を機械的な力に変換して絞り羽根を駆動するものであれば特に限定されない。
【００２３】
さらに、本実施形態に係るレンズ鏡筒１２には、絞り機構１６による開口の調整値である絞り値を設定するための絞り環２０が備えられている。絞り環２０は、レンズ鏡筒１２の鏡筒外周部に回転可能に取り付けられており、撮影者は絞り環２０を回転させることによって、絞り値を変更することができる。
【００２４】
図２は、図１に示すカメラにおける絞り機構１６の駆動制御を表すブロック図である。カメラボディ１０の内部には、カメラボディ１０の制御機能と、レンズ鏡筒１２との通信機能を有するボディＣＰＵ３０が備えられている。
【００２５】
例えばボディＣＰＵ３０は、レリーズボタン１８からの信号を受けて、サブコマンドダイアル１９等で設定された絞り値等を、ボディ側通信接点３２を介して送信する。その一方で、ボディＣＰＵ３０は、カメラボディ１０内に備えられる不図示のシャッタ装置を作動させて被写体光を記録媒体に導き、撮影動作を行うことができる。
【００２６】
レンズ鏡筒１２には、ドライバ２２を介して絞り機構１６を駆動制御することができるＭＣＵ（マイクロコントロールユニット）２４が備えられている。また、ＭＣＵ２４はレンズ側通信接点２６を介してカメラボディ１０と通信を行うことができる。レンズ鏡筒１２がカメラボディ１０に取り付けられた状態では、ボディ側通信接点３２とレンズ側通信接点２６とは接触している。
【００２７】
レンズ鏡筒１２に備えられる絞り環エンコーダ２８は、図１に示す絞り環２０の位置を検出する機能を有し、絞り環２０とともに、絞り値を設定する絞り環ユニットを構成している。図３に示すように、絞り環エンコーダ２８は、ＭＣＵ２４に電気的に接続されており、所定の電圧を加えられる３つの配線パターン４１を有している。
【００２８】
撮影者が図１に示す絞り環２０を回転させると、これと連動して、各配線パターン４１に対応した３つの端子を有する不図示のブラシが、配線パターン４１上を、図３の矢印Ｘで示す方向に沿って摺動する。ブラシの各端子はカメラ内のＧＮＤに電気的に接続されているため、各端子が配線パターン４１の接触部４１ａと接触、離間することによって、配線パターン４１の電位が変化する。ＭＣＵ２４は、絞り環エンコーダ２８との配線を介して、各配線パターン４１の電位を検出し、絞り環２０および絞り環エンコーダ２８により構成される絞り環ユニットによる絞り値の設定を読み込むことができる。
【００２９】
ＭＣＵ２４は、絞り環２０と連動するブラシが、図３に示す配線パターン４１上を位置１〜位置８まで移動するのに応じて、各配線パターン４１の電位の組合せに対応するコードを読み込むことができる。図４は、ブラシの位置に応じてＭＣＵ２４が読み込むコードと、絞り環ユニットによって設定される絞り値との対応関係を表したものである。
【００３０】
図４の左から１列目の欄に示す「位置」と、左から２列目の欄に示す「コード」の対応から明らかなように、図３に示す絞り環エンコーダ２８の配線パターン４１は、グレイコードを構成しており、段階的に値を変化させる絞り値の設定に適している。また、図４の左から２列目の欄に示す「コード」は、左から３列目の欄に示す「絞り値」に対応している。
【００３１】
図２に示すレンズ鏡筒１２に備えられる絞り環エンコーダ２８は、図４に示すように、絞り値を「Ｆ１．４」〜「Ｆ１１」までの７段階に設定することができる。絞り値が「Ｆ１．４」〜「Ｆ１１」に設定されているということは、絞り環ユニットによる絞り値の設定は有効であることを示している。また、絞り環エンコーダ２８は、絞り値を、絞り環ユニットによる絞り値の設定が無効であることを示す「Ｌ」に設定することができる。
【００３２】
図５は、図２に示す絞り機構１６の絞り値の設定に関連して、ＭＣＵ２４で行われる一連の処理を表したフローチャートである。ステップＳ００１において、図２に示すＭＣＵ２４は、レンズ鏡筒１２側で設定された絞り値を、カメラボディ１０側へ送信する一連の処理を開始する。
【００３３】
この処理は、カメラの電源がＯＮになった時や、レンズ鏡筒１２がカメラボディ１０に取り付けられた時から開始することができる。また、図５に示す処理は、カメラボディ１０に備えられた不図示の露出モード切替スイッチにより開始されてもよい。すなわち、カメラの露出モードが、絞り値の設定を撮影者が選択して撮影を行う露出マニュアルモードまたは絞り値優先モードに切り換えられたタイミングで、一連の処理を開始してもよい。
【００３４】
ステップＳ００２では、ＭＣＵ２４は、絞り環ユニットによる絞り値の設定を読み込む。絞り環２０と連動するブラシは、図３に示す位置１〜８までのいずれかに配置されている。ＭＣＵ２４は、絞り環エンコーダ２８との配線を介して、図４に示すコードを読み込むことによって、コードに対応する絞り値の設定を認識できる。
【００３５】
ステップ００３では、読み込まれた絞り値の設定が、絞り環ユニットによる絞り値の設定が有効であることを示すものであるか、無効であることを示すものであるかを判断する。
【００３６】
読み込まれた絞り値の設定が、図４において「Ｆ１．４」〜「Ｆ１１」と表記される具体的な絞り値である場合には、ＭＣＵ２４は、絞り環ユニットによる絞り値の設定が有効であると判断する。それに対して、読み込まれた絞り値の設定が、図４に示す「Ｌ」であった場合には、ＭＣＵ２４は、絞り環ユニットによる絞り値の設定が無効であると判断する。
【００３７】
ステップＳ００３において、絞り値の設定が、絞り環ユニットによる絞り値の設定が無効であることを示すもの（図４では「Ｌ」）であった場合には、ＭＣＵ２４は、絞り環ユニットによる絞り値の設定が無効であることをカメラボディ１０側に送信する（ステップＳ００４）。具体的には、ＭＣＵ２４は、絞り環ユニットによる絞り値の設定が「Ｌ」であることを示す信号を含む情報を、レンズ側通信接点２６およびボディ側通信接点３２を介して、ボディＣＰＵ３０に送信する。
【００３８】
それに対して、ステップＳ００３において、絞り値の設定が、絞り環ユニットによる絞り値の設定が有効であることを示すもの（図４では「Ｆ１．４」〜「Ｆ１１」）であった場合には、ＭＣＵ２４は、絞り環ユニットによる絞り値の設定をカメラボディ１０側に送信する（ステップＳ００５）。具体的には、ＭＣＵ２４は、絞り環ユニットによる絞り値の設定が「Ｆ１．４」〜「Ｆ１１」のいずれかであることを示す信号を含む所定の情報を、レンズ側通信接点２６およびボディ側通信接点３２を介して、ボディＣＰＵ３０に送信する。
【００３９】
ステップＳ００４またはステップＳ００５において、カメラボディ１０との通信が終了すると、ステップＳ００２に戻り、ステップＳ００２〜Ｓ００４までの処理を繰り返す。ステップＳ００２〜Ｓ００４までの一連の処理は、例えばボディＣＰＵ３０からの信号に応じて繰り返されても良く、また、所定の時間間隔で繰り返されても良い。
【００４０】
図６は、図２に示す絞り機構１６の絞り値の設定に関連して、カメラボディ１０内に備えられるボディＣＰＵ３０で行われる一連の処理を表したフローチャートである。ステップＳ１０１において、ボディＣＰＵ３０は、撮影動作における絞り値を決定するための一連の処理を行う。
【００４１】
この処理は、図５に示すレンズ鏡筒１２での処理と同様に、カメラの電源がＯＮになった時点や、レンズ鏡筒１２がカメラボディ１０取り付けられた時点から開始することができる。また、図６に示す処理は、カメラボディ１０に備えられた不図示の露出モード切替スイッチにより開始されてもよい。
【００４２】
ステップＳ１０２では、図２に示すボディＣＰＵ３０は、レンズ鏡筒１２と通信し、レンズ鏡筒１２側の絞り値の設定に関する情報を取得する。例えば、ボディＣＰＵ３０は、図２に示すボディ側通信接点３２およびレンズ側通信接点２６を介して、ＭＣＵ２４に信号を送り、レンズ鏡筒１２が有する絞り値の設定に関する情報を要求する。
【００４３】
ＭＣＵ２４は、ボディＣＰＵ３０からの信号を受けて、図５に示すフローチャートのステップＳ００２〜Ｓ００５に示す一連処理を行い、ボディＣＰＵ３０に対して、絞り環ユニットによる絞り値の設定に関する情報を送信する。ボディＣＰＵ３０は、ＭＣＵ２４からの情報を受信することによって、絞り環ユニットによる絞り値の設定を認識することができる。
【００４４】
なお、ＭＣＵ２４によって行われる図５に示す一連の処理は、ボディＣＰＵ３０からの信号にかかわらず、例えば所定の時間間隔で周期的に行われてもよい。この場合ボディＣＰＵ３０は、ステップＳ１０２において、ＭＣＵ２４によって送信される情報を受信すればよい。
【００４５】
ステップＳ１０３では、取得したレンズ鏡筒１２側の絞り値の設定に関する情報が、絞り環ユニットによる絞り値の設定が有効であることを示すものであるか、無効であることを示すものであるかを判断する。ボディＣＰＵ３０は、レンズ鏡筒１２の絞り環ユニットによる絞り値の設定が、「Ｆ１．４」〜「Ｆ１１」のいずれかであると認識した場合は、絞り環ユニットによる絞り値の設定が有効であると判断する。これに対して、ボディＣＰＵ３０は、レンズ鏡筒１２の絞り環ユニットによる絞り値の設定が「Ｌ」であと認識した場合は、絞り環ユニットによる絞り値の設定が無効であると判断する。
【００４６】
ステップＳ１０３において、絞り環ユニットによる絞り値の設定が無効であると判断された場合は、ボディＣＰＵ３０は、カメラボディ１０に備えられたサブコマンドダイアル１９によって設定された設定値を、撮影動作時の絞り値として採用する（Ｓ１０４）。したがって、撮影動作の際、ボディＣＰＵ３０は、サブコマンドダイアル１９によって設定された絞り値に、レンズ鏡筒１２に備えられた絞り機構１６が駆動制御されるように、ＭＣＵ２４に対して指示を行う。
【００４７】
これに対して、ステップＳ１０３において、絞り環ユニットによる絞り値の設定が有効であると判断された場合は、ボディＣＰＵ３０は、ステップＳ１０２で取得した絞り環ユニットによる絞り値の設定を、撮影動作時の絞り値として採用する（Ｓ１０５）。したがって、撮影動作の際、ボディＣＰＵ３０は、絞り環２０によって設定された絞り値に、レンズ鏡筒１２に備えられた絞り機構１６が駆動制御されるように、ＭＣＵ２４に対して指示を行う。
【００４８】
ステップＳ１０４またはステップＳ１０５において、撮影時の絞り値を決定した後、ステップＳ１０２に戻り、ステップＳ１０２〜Ｓ１０４までの処理を繰り返す。ステップＳ１０２〜Ｓ１０４までの一連の処理は、例えばサブコマンドダイアル１９や、ＭＣＵ２４を経由した絞り環エンコーダ２８からの信号に応じて繰り返されても良く、また、所定の時間間隔で繰り返されても良い。
【００４９】
上述のように、本実施形態のレンズ鏡筒１２は、絞り環２０および絞り環エンコーダ２８によって構成される絞り環ユニットによる絞り値の設定情報を、ＭＣＵ２４およびレンズ側通信接点２６を介してカメラボディ１０に送信する。したがって、レンズ鏡筒１２は、絞り環ユニットによって設定された絞り値を、機械的な連動によってカメラボディ１０側に伝える必要がなく、カメラボディ１０への取付部付近の構造がシンプルである。また、絞り環２０の配置についての制約が低減されるため、レンズ鏡筒１２の設計自由度が向上する。
【００５０】
また、本実施形態のレンズ鏡筒１２に備えられたＭＣＵ２４は、絞り環ユニットによる絞り値の設定が無効であることをカメラボディ１０側に送信することができる。また、ＭＣＵ２４は、カメラボディ側から出力される絞り値に設定されるように、絞り機構１６を駆動制御することができる。したがって、本実施形態のレンズ鏡筒１２は、カメラボディ１０側から絞り値を設定することが可能である。
【００５１】
また、本実施形態に係る絞り環ユニットは、絞り環ユニットによる絞り値の設定を無効にする状態と、絞り環ユニットによる絞り値の設定を無効にする状態とを切り換えることができる。したがって撮影者は、カメラボディ１０側のサブコマンドダイアル１９と、レンズ鏡筒１２側の絞り環ユニットのいずれか一方を選択して、絞り値の設定を行うことができる。
【００５２】
また、本実施形態に係るレンズ鏡筒１２に備えられる絞り機構１６は、絞り羽根を駆動するための駆動部を有するいわゆる電磁絞り機構である。したがって、カメラボディ１０とレンズ鏡筒１２の両方に絞り値の設定手段が備えられているカメラシステムでは、設定値を通信することによって、両方の設定手段から自由に絞り値を設定することが可能である。この場合において、一方の絞り値の設定値によって、他方の絞り値の設定値が制限されることもない。
【００５３】
その他の実施形態
【００５４】
上述の第１実施形態に係るレンズ鏡筒１２では、絞り環２０および絞り環エンコーダ２８を用いて絞り値を設定する構成としたが、これに限定されず、例えば切替スイッチ、光学式センサまたはタッチセンサ等を用いて設定する構成としてもよい。また、絞り値を設定する設定手段は、設定すべき絞り値が記憶されたメモリ等を有していても良い。
【００５５】
また、本実施形態のレンズ鏡筒１２は、絞り値を設定するための絞り環を有する構成としたが、このような絞り値を設定するための部材（絞り環、切換スイッチ、タッチセンサ等）はなくてもよい。絞り値を設定するための部材を有しないレンズ鏡筒においては、図５のレンズ鏡筒側でのフローチャートにおいて、ステップＳ００２の動作はなく、ステップＳ００３の絞り環ユニットによる絞り値の設定は、常に無効であると判断する。あるいは、判断するまでもなくステップＳ００４の処理に進む。その結果、カメラボディ側には、常に絞り環ユニットによる絞り値の設定が無効であることを示す情報が送信される。
【００５６】
そして、図６のカメラボディ側でのフローチャートにおいて、ステップＳ１０３では、絞り環ユニットによる絞り値の設定は常に無効であると判断される。その結果、カメラボディ側で設定された絞り値が、常に撮影動作時の絞り値として採用される。
【００５７】
以上のように、絞り値を設定するための部材がないレンズ鏡筒においては、カメラボディ側に、絞り環ユニットによる絞り値の設定が無効であることを示す情報を常に送信することによって、カメラボディ側で設定された絞り値を常に有効なものとすることができる。
【００５８】
絞り環エンコーダ２８等の設定手段によって設定可能な絞り値の段数についても、レンズ鏡筒１２に応じて任意の数とすることができ、たとえば１段のみであってもよい。この場合でも、ＭＣＵ２４は、カメラボディ１０側から出力される絞り値に応じて、絞り機構１６を駆動制御することができる。
【図面の簡単な説明】
【００５９】
【図１】図１は、本発明の一実施形態に係るレンズ鏡筒を取り付けたカメラボディの外観図である。
【図２】図２は、図１に示すカメラにおける絞り機構の制御を表すブロック図である。
【図３】図３は、図１に示すレンズ鏡筒に備えられた絞り環エンコーダの詳細図である。
【図４】図４は、絞り環エンコーダのパターンと制御情報の関係を示す図である。
【図５】図５は、図２に示す絞り機構の絞り値の設定に関連して、レンズ鏡筒内に備えられたＭＣＵで行われる一連の処理を表したフローチャートである。
【図６】図６は、図２に示す絞り機構の絞り値の設定に関連して、カメラボディ内に備えられたボディＣＰＵで行われる一連の処理を表したフローチャートである。
【符号の説明】
【００６０】
１０…  カメラボディ
１２…  レンズ鏡筒
１６…  絞り機構
１９…  サブコマンドダイアル
２０…  絞り環
２４…  ＭＣＵ
２６…  レンズ側通信接点
２８…  絞り環エンコーダ
３０…  ボディＣＰＵ
【図１】
2009175620.tif 000003
【図２】
2009175620.tif 000004
【図３】
2009175620.tif 000005
【図４】
2009175620.tif 000006
【図５】
2009175620.tif 000007
【図６】
2009175620.tif 000008